(57)【特許請求の範囲】
【請求項１】
少なくとも一部の帯域が他のチャネルと重複する複数のチャネルであって、予め定められた無線通信規格に割り当てられた周波数帯域に含まれる前記複数のチャネルのうち、少なくとも一部の帯域が重複する他のチャネルの数である重複チャネル数が最も多いチャネルの前記重複チャネル数より多い数の複数のアンテナと接続される接続部と、
それぞれに異なるチャネルが割り当てられた前記複数のアンテナによって同時に受信されたチャネル毎の電波の強度を測定する電波強度測定部と
を備える電波強度測定装置。
【請求項２】
前記接続部は、ＩＥＥＥ８０２．１１規格に割り当てられた２．４ＧＨｚの周波数帯域に含まれる前記複数のチャネルのうち、前記重複チャネル数が最も多いチャネルの前記重複チャネル数より多い数の前記複数のアンテナと接続される、請求項１に記載の電波強度測定装置。
【請求項３】
前記接続部は、前記ＩＥＥＥ８０２．１１規格に割り当てられた２．４ＧＨｚの周波数帯域に含まれる全チャネル数よりも少ない前記複数のアンテナと接続される、請求項２に記載の電波強度測定装置。
【請求項４】
前記接続部は、ＩＥＥＥ８０２．１１ｇ規格に割り当てられた２．４ＧＨｚの周波数帯域に含まれる１３のチャネルのうち、前記重複チャネル数が最も多いチャネルの前記重複チャネル数である８より多い数の前記複数のアンテナと接続される、請求項２又は３に記載の電波強度測定装置。
【請求項５】
前記接続部は、ＩＥＥＥ８０２．１１ｂ規格又はＩＥＥＥ８０２．１１ｎに割り当てられた２．４ＧＨｚの周波数帯域に含まれる１４のチャネルのうち、前記重複チャネル数が最も多いチャネルの前記重複チャネル数である８より多い数の前記複数のアンテナと接続される、請求項２又は３に記載の電波強度測定装置。
【請求項６】
予め定められた無線通信規格に割り当てられた周波数帯域に含まれる全チャネル数と同数の複数のアンテナと接続される接続部と、
それぞれに異なるチャネルが割り当てられた前記複数のアンテナによって同時に受信されたチャネル毎の電波の強度を測定する電波強度測定部と
を備える電波強度測定装置。
【請求項７】
前記接続部は、ＩＥＥＥ８０２．１１ｇ規格に割り当てられた２．４ＧＨｚの周波数帯域に含まれる全チャネル数である１３と同数の前記複数のアンテナと接続される、請求項６に記載の電波強度測定装置。
【請求項８】
前記接続部は、ＩＥＥＥ８０２．１１ｂ規格又はＩＥＥＥ８０２．１１ｎ規格に割り当てられた２．４ＧＨｚの周波数帯域に含まれる全チャネル数である１４と同数の前記複数のアンテナと接続される、請求項６に記載の電波強度測定装置。
【請求項９】
前記接続部は、ＩＥＥＥ８０２．１１ａ規格又はＩＥＥＥ８０２．１１ｎ規格に割り当てられた５ＧＨｚの周波数帯域に含まれる全チャネル数である１９と同数の前記複数のアンテナと接続される、請求項６に記載の電波強度測定装置。
【請求項１０】
前記接続部は、ＩＥＥＥ８０２．１１ｇ規格に割り当てられた２．４ＧＨｚの周波数帯と、ＩＥＥＥ８０２．１１ａ規格又はＩＥＥＥ８０２．１１ｎ規格とに割り当てられた５ＧＨｚの周波数帯域とに含まれる全チャネル数である３２と同数の前記複数のアンテナと接続される、請求項６に記載の電波強度測定装置。
【請求項１１】
前記接続部は、ＩＥＥＥ８０２．１１ｂ又はＩＥＥＥ８０２．１１ｎ規格に割り当てられた２．４ＧＨｚの周波数帯と、ＩＥＥＥ８０２．１１ａ規格又はＩＥＥＥ８０２．１１ｎ規格に割り当てられた５ＧＨｚの周波数帯域とに含まれる全チャネル数である３３と同数の前記複数のアンテナと接続される、請求項６に記載の電波強度測定装置。
【請求項１２】
前記複数のアンテナのそれぞれに異なるチャネルを割り当てるチャネル割当部
をさらに備える、請求項１から１１のいずれか一項に記載の電波強度測定装置。
【請求項１３】
前記複数のアンテナによって受信された電波に含まれるパケットを解析するパケット解析部
をさらに備える、請求項１から１２のいずれか一項に記載の電波強度測定装置。
【請求項１４】
コンピュータを、請求項１から１３のいずれか一項に記載の電波強度測定装置として機能させるためのプログラム。
【発明の詳細な説明】
【技術分野】
【０００１】
本発明は、電波強度測定装置及びプログラムに関する。
【背景技術】
【０００２】
従来、無線ＬＡＮのアクセスポイントから発信される電波の強度分布を調べる無線環境調査装置が知られていた（例えば、特許文献１参照）。
［先行技術文献］
［特許文献］
［特許文献１］特開２０１２−１９９７２７号公報
【発明の概要】
【発明が解決しようとする課題】
【０００３】
複数のアクセスポイントがそれぞれ異なるチャネルを使用して通信端末と通信する無線環境を効率的に調査する技術が望まれていた。
【課題を解決するための手段】
【０００４】
本発明の第１の態様によれば、予め定められた無線通信規格に割り当てられた周波数帯域に含まれる複数のチャネルのうち、少なくとも一部の帯域が重複する他のチャネルの数である重複チャネル数が最も多いチャネルの重複チャネル数より多い数の複数のアンテナと接続される接続部と、それぞれに異なるチャネルが割り当てられた複数のアンテナによって同時に受信されたチャネル毎の電波の強度を測定する電波強度測定部とを備える電波強度測定装置及び電波により伝送されるデータフレームの集計、解析装置が提供される。
【０００５】
上記電波強度測定装置において、接続部は、ＩＥＥＥ８０２．１１規格に割り当てられた２．４ＧＨｚの周波数帯域に含まれる複数のチャネルのうち、重複チャネル数が最も多いチャネルの重複チャネル数より多い数の複数のアンテナと接続されてよい。上記電波強度測定装置において、接続部は、ＩＥＥＥ８０２．１１規格に割り当てられた２．４ＧＨｚの周波数帯域に含まれる全チャネル数よりも少ない複数のアンテナと接続されてよい。上記電波強度測定装置において、接続部は、ＩＥＥＥ８０２．１１ｇ規格に割り当てられた２．４ＧＨｚの周波数帯域に含まれる１３のチャネルのうち、重複チャネル数が最も多いチャネルの重複チャネル数である８より多い数の複数のアンテナと接続されてよい。上記電波強度測定装置において、接続部は、ＩＥＥＥ８０２．１１ｂ規格又はＩＥＥＥ８０２．１１ｎに割り当てられた２．４ＧＨｚの周波数帯域に含まれる１４のチャネルのうち、重複チャネル数が最も多いチャネルの重複チャネル数である８より多い数の複数のアンテナと接続されてよい。
【０００６】
本発明の第２の態様によれば、予め定められた無線通信規格に割り当てられた周波数帯域に含まれる全チャネル数と同数の複数のアンテナと接続される接続部と、それぞれに異なるチャネルが割り当てられた複数のアンテナによって同時に受信されたチャネル毎の電波の強度を測定する電波強度測定部とを備える電波強度測定装置が提供される。
【０００７】
上記電波強度測定装置において、接続部は、ＩＥＥＥ８０２．１１ｇ規格に割り当てられた２．４ＧＨｚの周波数帯域に含まれる全チャネル数である１３と同数の複数のアンテナと接続されてよい。上記電波強度測定装置において、接続部は、ＩＥＥＥ８０２．１１ｂ規格又はＩＥＥＥ８０２．１１ｎ規格に割り当てられた２．４ＧＨｚの周波数帯域に含まれる全チャネル数である１４と同数の複数のアンテナと接続されてよい。上記電波強度測定装置において、接続部は、ＩＥＥＥ８０２．１１ａ規格又はＩＥＥＥ８０２．１１ｎ規格に割り当てられた５ＧＨｚの周波数帯域に含まれる全チャネル数である１９と同数の複数のアンテナと接続されてよい。
【０００８】
上記電波強度測定装置において、接続部は、ＩＥＥＥ８０２．１１ｇ規格に割り当てられた２．４ＧＨｚの周波数帯と、ＩＥＥＥ８０２．１１ａ規格又はＩＥＥＥ８０２．１１ｎ規格とに割り当てられた５ＧＨｚの周波数帯域とに含まれる全チャネル数である３２と同数の複数のアンテナと接続されてよい。上記電波強度測定装置において、接続部は、ＩＥＥＥ８０２．１１ｂ規格又はＩＥＥＥ８０２．１１ｎ規格に割り当てられた２．４ＧＨｚの周波数帯と、ＩＥＥＥ８０２．１１ａ規格又はＩＥＥＥ８０２．１１ｎ規格に割り当てられた５ＧＨｚの周波数帯域とに含まれる全チャネル数である３３と同数の複数のアンテナと接続されてよい。上記電波強度測定装置は、複数のアンテナのそれぞれに異なるチャネルを割り当てるチャネル割当部をさらに備えてよい。上記電波強度測定装置は、複数のアンテナによって受信された電波に含まれるパケットを解析するパケット解析部をさらに備えてよい。
【０００９】
本発明の第３の態様によれば、コンピュータを、上記電波強度測定装置として機能させるためのプログラムが提供される。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】電波強度測定装置が電波を測定する環境の一例を概略的に示す。
【図２】電波強度測定装置の機能構成の一例を概略的に示す。
【図３】ＩＥＥＥ８０２．１１ｂのチャネル配置を概略的に示す。
【図４】ＩＥＥＥ８０２．１１ｇのチャネル配置を概略的に示す。
【図５】ＩＥＥＥ８０２．１１ａのチャネル配置を概略的に示す。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、本実施形態に係る電波強度測定装置１００が電波強度を測定する環境の一例を概略的に示す。電波強度測定装置１００は、複数のＡＰ（Ａｃｃｅｓｓ  Ｐｏｉｎｔ）３００が配置された環境で、複数のＡＰ３００が発信する電波の強度を測定する。通信エリア３０２は、複数のＡＰ３００のそれぞれが発信する電波の到達範囲を模式的に示す。ＡＰ３００は、無線ＬＡＮにおけるアクセスポイントであってよい。
【００１４】
複数のＡＰ３００が配置された環境とは、例えば、市街地等である。近年、ＷｉＦｉスポットの増加によって、複数のＡＰ３００が配置された環境が増加している。携帯電話、タブレット端末、及びノートＰＣ等の通信端末４００は、複数のＡＰ３００のうち、一のＡＰ３００と通信接続を確立することにより、ＡＰ３００を介した通信を実行する。
【００１５】
ＡＰ３００と通信端末４００とは、予め定められた無線通信規格に割り当てられた周波数帯域に含まれる複数のチャネルのうちから選択した一のチャネルを使用して通信する。ＡＰ３００と通信端末４００とは、例えばＩＥＥＥ８０２．１１ｇ規格に割り当てられた２．４ＧＨｚの周波数帯域に含まれる１３チャネルのうちから選択した一のチャネルを使用して通信してよい。
【００１６】
ＡＰ３００と通信端末４００とは、例えば、次のような流れで通信接続する。まず、複数のＡＰ３００のそれぞれがチャネルを設定する。複数のＡＰ３００のそれぞれは、例えば、起動時に周囲のチャネル使用状況を確認して、使用されていないチャネルを設定する。複数のＡＰ３００のそれぞれは、周囲のチャネル使用状況を継続的に監視して、動的にチャネル設定を切り替えてもよい。そして、通信端末４００が、通信可能な複数のＡＰ３００のうちから選択した一のＡＰ３００に対して、当該ＡＰ３００が設定しているチャネルを使用した通信接続を確立する。
【００１７】
通信端末４００は、例えば、通信端末４００の移動に伴って、通信接続するＡＰ３００を適宜切り替える。また、通信端末４００は、例えば、周囲の通信環境の変化等に応じて、通信接続するＡＰ３００を適宜切り替える場合がある。通信端末４００が通信接続するＡＰ３００を切り替える場合、使用するチャネルが、切り替え先のＡＰ３００に設定されているチャネルに切り替わる。
【００１８】
このように、通信端末４００は、通信接続を確立するＡＰ３００とチャネルとを動的に切り替えながら通信を実行するが、通信端末４００がどのＡＰ３００及びどのチャネルを使用して通信するかを予測することは難しい。したがって、例えば、一のアンテナを有する測定器によって通信端末４００による通信の品質を測定しようとした場合、動的に切り替わる通信端末４００による使用チャネルにあわせて、一のアンテナに対するチャネルの割り当てを切り替えることは難しい。一のアンテナに対して割り当てるチャネルを順次切り替えることによって、複数のチャネルのそれぞれを使用した通信の品質を測定することもできるが、チャネル毎の測定値にタイムラグが発生することから、チャネル間の電波状況を精確に比較することができない。
【００１９】
本実施形態に係る電波強度測定装置１００は、それぞれに異なるチャネルが設定された複数のＡＰ３００のそれぞれが発信する電波を同時に受信する。そして、電波強度測定装置１００は、同時に受信した電波の強度を測定したり、受信した電波に含まれるパケットを解析したりする。これにより、通信端末４００が使用するチャネルが動的に切り替わる場合であっても、切り替え前及び切り替え後のチャネルについて測定を行えることから、通信端末４００による通信の品質を継続的に測定することができる。
【００２０】
図２は、電波強度測定装置１００の機能構成を概略的に示す。電波強度測定装置１００は、接続部１０２、チャネル割当部１０４、電波強度測定部１０６、電波強度格納部１０８、パケット解析部１１０、及び解析結果格納部１１２を備える。電波強度測定装置１００がこれら全ての構成を備えることは必須であるとは限らない。
【００２１】
接続部１０２には、複数のアンテナ２００が接続される。接続部１０２は、アンテナ２００を接続する接続端子を複数有してよい。また、接続部１０２には、ＵＳＢＨＵＢ等の集線装置を介して、複数のアンテナ２００が接続されてもよい。
【００２２】
接続部１０２には、予め定められた無線通信規格に割り当てられた周波数帯域に含まれる複数のチャネルのうち、少なくとも一部の帯域が重複する他のチャネルの数である重複チャネル数が最も多いチャネルの重複チャネル数より多い数の複数のアンテナが接続されてよい。
【００２３】
例えば、接続部１０２には、ＩＥＥＥ８０２．１１規格に割り当てられた２．４ＧＨｚの周波数帯域に含まれる複数のチャネルのうち、重複チャネル数が最も多いチャネルの重複チャネル数より多い数の複数のアンテナが接続される。具体例として、接続部１０２には、ＩＥＥＥ８０２．１１ｇ規格に割り当てられた２．４ＧＨｚの周波数帯域に含まれる１３のチャネルのうち、重複チャネル数が最も多いチャネルの重複チャネル数である８より多い数の複数のアンテナが接続される。また、他の具体例として、接続部１０２には、ＩＥＥＥ８０２．１１ｂ規格又はＩＥＥＥ８０２．１１ｎに割り当てられた２．４ＧＨｚの周波数帯域に含まれる１４のチャネルのうち、重複チャネル数が最も多いチャネルの重複チャネル数である８より多い数の複数のアンテナが接続される。
【００２４】
接続部１０２には、ＩＥＥＥ８０２．１１規格に割り当てられた周波数帯域に含まれる複数のチャネルのうち、重複チャネル数が最も多いチャネルの重複チャネル数より多い数であり、かつ、ＩＥＥＥ８０２．１１規格に割り当てられた周波数帯域に含まれる全チャネル数よりも少なく複数のアンテナが接続されてもよい。例えば、接続部１０２には、ＩＥＥＥ８０２．１１ｇ規格に割り当てられた２．４ＧＨｚの周波数帯域に含まれる１３のチャネルのうち、８より多く、かつ、１３より少ない複数のアンテナが接続される。また、例えば、接続部１０２には、ＩＥＥＥ８０２．１１ｂ規格又はＩＥＥＥ８０２．１１ｎに割り当てられた２．４ＧＨｚの周波数帯域に含まれる１４のチャネルのうち、８より多く、かつ、１４より少ない複数のアンテナが接続される。
【００２５】
また、接続部１０２には、予め定められた無線通信規格に割り当てられた周波数帯域に含まれる全チャネル数と同数の複数のアンテナが接続されてもよい。例えば、接続部１０２には、ＩＥＥＥ８０２．１１ｇ規格に割り当てられた２．４ＧＨｚの周波数帯域に含まれる全チャネル数である１３と同数の複数のアンテナが接続される。また、例えば、接続部１０２には、ＩＥＥＥ８０２．１１ｂ規格又はＩＥＥＥ８０２．１１ｎ規格に割り当てられた２．４ＧＨｚの周波数帯域に含まれる全チャネル数である１４と同数の複数のアンテナが接続される。
【００２６】
また、接続部１０２には、ＩＥＥＥ８０２．１１ａ規格に割り当てられた５ＧＨｚの周波数帯域に含まれる全チャネル数である１９と同数の複数のアンテナが接続される。また、接続部１０２には、ＩＥＥＥ８０２．１１ｇ規格に割り当てられた２．４ＧＨｚ及びＩＥＥＥ８０２．１１ａ規格に割り当てられた５ＧＨｚの周波数帯域に含まれる全チャネル数である３２と同数の複数のアンテナが接続される。また、接続部１０２には、ＩＥＥＥ８０２．１１ｂ規格又はＩＥＥＥ８０２．１１ｎ規格に割り当てられた２．４ＧＨｚと、ＩＥＥＥ８０２．１１ａ規格又はＩＥＥＥ８０２．１１ｎ規格に割り当てられた５ＧＨｚの周波数帯域に含まれる全チャネル数である３３と同数の複数のアンテナが接続される。
【００２７】
チャネル割当部１０４は、接続部１０２に接続された複数のアンテナ２００のそれぞれに異なるチャネルを割り当てる。チャネル割当部１０４は、例えば、アンテナ２００が有するフィルタ２０２に対して一のチャネルを割り当てることによって、フィルタ２０２に、割り当てたチャネルの帯域以外の帯域をフィルタリングさせる。なお、予め異なるチャネルが割り当てられた複数のアンテナ２００が、接続部１０２に接続されてもよく、この場合、電波強度測定装置１００は、チャネル割当部１０４を有さなくてもよい。
【００２８】
電波強度測定部１０６は、複数のアンテナ２００によって同時に受信されたチャネル毎の電波の強度を測定する。電波強度測定部１０６は、測定したチャネル毎の電波の強度を電波強度格納部１０８に格納する。電波強度測定部１０６は、チャネル毎の電波の強度を時系列に沿って電波強度格納部１０８に格納してよい。
【００２９】
これにより、複数のＡＰ３００のそれぞれが発信する電波の強度の変化を把握可能とすることができる。また、通信端末４００の近傍に電波強度測定装置１００を配置した状態で、電波強度測定部１０６が電波強度を測定することにより、複数のＡＰ３００により発信された電波が通信端末４００に到達する強度を推定することができる。
【００３０】
パケット解析部１１０は、通信端末４００が送受信するパケットを解析する。パケット解析部１１０は、複数のアンテナ２００のうちのいずれかが受信した電波に含まれる、通信端末４００が送受信するパケットをキャプチャして、解析する。パケット解析部１１０は、複数のアンテナ２００が受信した電波に含まれるパケットのヘッダを参照することによって、通信端末４００が送受信するパケットを判定してよい。
【００３１】
パケット解析部１１０は、通信端末４００が送受信するパケットを解析することにより、通信端末４００による通信のスループット、フレームリトライ率、フレームリンクレート、制御フレーム率、及びデータフレーム率等を取得してよい。パケット解析部１１０は、解析した結果を解析結果格納部１１２に格納する。
【００３２】
図３は、ＩＥＥＥ８０２．１１ｇ規格のチャネル配置を概略的に示す。ＩＥＥＥ８０２．１１ｂ規格には、２．４ＧＨｚの周波数帯が割り当てられている。利用可能なチャネル数は１３チャネルである。
【００３３】
図３に示す通り、ＩＥＥＥ８０２．１１ｇ規格に割り当てられた２．４ＧＨｚの周波数帯に含まれる１３チャネルのうち、少なくとも一部の帯域が重複する他のチャネルの数である重複チャネル数が最も多いチャネルの重複チャネル数は８である。本実施形態に係る電波強度測定装置１００が備える接続部１０２には、８より多い数の複数のアンテナ２００が接続されてよい。そして、電波強度測定部１０６は、８より多い数の複数のアンテナ２００によって同時に受信されたチャネル毎の電波の強度を測定してよい。また、パケット解析部１１０は、８より多い数の複数のアンテナ２００によって同時に受信されたチャネル毎の電波に含まれるパケットを解析してよい。
【００３４】
例えば、接続部１０２には９つのアンテナ２００が接続される。チャネル割当部１０４は、９つのアンテナ２００に対して連続するチャネルを割り当ててよい。例えば、チャネル割当部１０４が、９つのアンテナ２００に対して、１ｃｈから９ｃｈを割り当てた場合、１ｃｈから５ｃｈのチャネルに対して干渉する可能性がある全てのチャネルについて、同時に電波の強度を測定できる。
【００３５】
また、本実施形態に係る電波強度測定装置１００が備える接続部１０２には、ＩＥＥＥ８０２．１１ｇ規格に割り当てられた２．４ＧＨｚの周波数帯域に含まれる全チャネル数である１３と同数の複数のアンテナ２００が接続されてよい。そして、電波強度測定部１０６は、１３のアンテナ２００によって同時に受信されたチャネル毎の電波の強度を測定してよい。また、パケット解析部１１０は、１３のアンテナ２００によって同時に受信されたチャネル毎の電波に含まれるパケットを解析してよい。これにより、ＩＥＥ８０２．１１ｇ規格に割り当てられた２．４ＧＨｚの周波数帯域に含まれる全チャネルについて、同時に電波強度を測定でき、また全チャネルの電波に含まれるパケットを解析できる。
【００３６】
図４は、ＩＥＥＥ８０２．１１ｂ規格のチャネル配置を概略的に示す。ＩＥＥＥ８０２．１１ｂ規格には、２．４ＧＨｚの周波数帯が割り当てられている。利用可能なチャネル数は１４チャネルである。なお、ＩＥＥＥ８０２．１１ｎ規格には、２．４ＧＨｚの周波数帯域及び５ＧＨｚの周波数帯域が割り当てられているが、２．４ＧＨｚの周波数帯域におけるチャネル配置は、ＩＥＥＥ８０２．１１ｂ規格と同様である。
【００３７】
図４に示す通り、ＩＥＥＥ８０２．１１ｂ規格に割り当てられた２．４ＧＨｚの周波数帯域に含まれる１４チャネルのうち、少なくとも一部の帯域が重複する他のチャネルの数である重複チャネル数が最も多いチャネルの重複チャネル数は８である。本実施形態に係る電波強度測定装置１００が備える接続部１０２には、８より多い数の複数のアンテナ２００が接続されてよい。そして、電波強度測定部１０６は、８より多い数の複数のアンテナ２００によって同時に受信されたチャネル毎の電波の強度を測定してよい。また、パケット解析部１１０は、８より多い数の複数のアンテナ２００によって同時に受信されたチャネル毎の電波に含まれるパケットを解析してよい。
【００３８】
また、本実施形態に係る電波強度測定装置１００が備える接続部１０２には、ＩＥＥＥ８０２．１１ｂ規格に割り当てられた２．４ＧＨｚの周波数帯域に含まれる全チャネル数である１４と同数の複数のアンテナ２００が接続されてよい。そして、電波強度測定部１０６は、１４のアンテナ２００によって同時に受信されたチャネル毎の電波の強度を測定してよい。また、パケット解析部１１０は、１４のアンテナ２００によって同時に受信されたチャネル毎の電波に含まれるパケットを解析してよい。これにより、ＩＥＥ８０２．１１ｂ規格に割り当てられた２．４ＧＨｚの周波数帯域に含まれる全チャネルについて、同時に電波強度を測定でき、また全チャネルの電波に含まれるパケットを解析できる。
【００３９】
図５は、ＩＥＥＥ８０２．１１ａ規格のチャネル配置を概略的に示す。ＩＥＥＥ８０２．１１ａ規格には、５ＧＨｚの周波数帯が割り当てられている。利用可能なチャネル数は１９チャネルである。なお、ＩＥＥＥ８０２．１１ｎ規格には、２．４ＧＨｚの周波数帯域及び５ＧＨｚの周波数帯域が割り当てられているが、５ＧＨｚの周波数帯域におけるチャネル配置は、ＩＥＥＥ８０２．１１ａ規格と同様である。
【００４０】
本実施形態に係る電波強度測定装置１００が備える接続部１０２には、ＩＥＥＥ８０２．１１ａ規格に割り当てられた５ＧＨｚの周波数帯域に含まれる全チャネル数である１９と同数の複数のアンテナ２００が接続されてよい。そして、電波強度測定部１０６は、１９のアンテナ２００によって同時に受信されたチャネル毎の電波の強度を測定してよい。また、パケット解析部１１０は、１９のアンテナ２００によって同時に受信されたチャネル毎の電波に含まれるパケットを解析してよい。これにより、ＩＥＥ８０２．１１ａ規格に割り当てられた５ＧＨｚの周波数帯域に含まれる全チャネルについて、同時に電波強度を測定でき、また全チャネルの電波に含まれるパケットを解析できる。
【００４１】
また、本実施形態に係る電波強度測定装置１００が備える接続部１０２には、ＩＥＥＥ８０２．１１ｇ規格に割り当てられた２．４ＧＨｚと、ＩＥＥＥ８０２．１１ａ規格又はＩＥＥＥ８０２．１１ｎ規格に割り当てられた５ＧＨｚとの周波数帯域に含まれる全チャネル数である３２と同数の複数のアンテナ２００と接続されてよい。そして、電波強度測定部１０６は、３２の複数のアンテナ２００によって同時に受信されたチャネル毎の電波の強度を測定してよい。また、パケット解析部１１０は、３２のアンテナ２００によって同時に受信されたチャネル毎の電波に含まれるパケットを解析してよい。これにより、ＩＥＥＥ８０２．１１ｇ規格と、ＩＥＥＥ８０２．１１ａ規格又はＩＥＥＥ８０２．１１ｎ規格とにおける全チャネルについて、同時に電波強度を測定でき、また各チャネルの電波に含まれるパケットを解析できる。
【００４２】
また、本実施形態に係る電波強度測定装置１００が備える接続部１０２には、ＩＥＥＥ８０２．１１ｂ規格又はＩＥＥＥ８０２．１１ｎ規格に割り当てられた２．４ＧＨｚの周波数帯域と、ＩＥＥＥ８０２．１１ａ規格又はＩＥＥＥ８０２．１１ｎ規格に割り当てられた５ＧＨｚの周波数帯域とに含まれる全チャネル数である３３と同数の複数のアンテナ２００と接続されてよい。そして、電波強度測定部１０６は、３３の複数のアンテナ２００によって同時に受信されたチャネル毎の電波の強度を測定してよい。また、パケット解析部１１０は、３３のアンテナ２００によって同時に受信されたチャネル毎の電波に含まれるパケットを解析してよい。これにより、ＩＥＥＥ８０２．１１ｂ規格又はＩＥＥＥ８０２．１１ｎ規格と、ＩＥＥＥ８０２．１１ａ規格又はＩＥＥＥ８０２．１１ｎ規格とにおける全チャネルについて、同時に電波強度を測定でき、また全チャネルの電波に含まれるパケットを解析できる。
【００４３】
以上の説明において、電波強度測定装置１００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、電波強度測定装置１００として機能してもよい。プログラムは、コンピュータ読み取り可能な媒体又はネットワークに接続された記憶装置から、電波強度測定装置１００の少なくとも一部を構成するコンピュータにインストールされてよい。
【００４４】
コンピュータにインストールされ、コンピュータを本実施形態に係る電波強度測定装置１００として機能させるプログラムは、ＣＰＵ等に働きかけて、コンピュータを、電波強度測定装置１００の各部としてそれぞれ機能させる。これらのプログラムに記述された情報処理は、コンピュータに読込まれることにより、ソフトウエアと電波強度測定装置１００のハードウエア資源とが協働した具体的手段として機能する。
【００４５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４６】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００４７】
１００  電波強度測定装置、１０２  接続部、１０４  チャネル割当部、１０６  電波強度測定部、１０８  電波強度格納部、１１０  パケット解析部、１１２  解析結果格納部、２００  アンテナ、２０２  フィルタ、３００  ＡＰ、３０２  通信エリア、４００  通信端末
【要約】
【課題】複数のアクセスポイントがそれぞれ異なるチャネルを使用して通信端末と通信する無線環境を効率的に調査する技術が望まれていた。
【解決手段】予め定められた無線通信規格に割り当てられた周波数帯域に含まれる複数のチャネルのうち、少なくとも一部の帯域が重複する他のチャネルの数である重複チャネル数が最も多いチャネルの重複チャネル数より多い数の複数のアンテナと接続される接続部と、それぞれに異なるチャネルが割り当てられた複数のアンテナによって同時に受信されたチャネル毎の電波の強度を測定する電波強度測定部とを備える電波強度測定装置を提供する。
【選択図】図２【図１】
0005551298.tif 000002
【図２】
0005551298.tif 000003
【図３】
0005551298.tif 000004
【図４】
0005551298.tif 000005
【図５】
0005551298.tif 000006